(57)【要約】      （修正有）【課題】自動循環水で製氷可能な冷蔵庫を提供する。【解決手段】冷蔵庫本体１に収納チャンバー１１が開設され、冷蔵庫本体１の下部に製氷用の水を盛る水箱２が装着され、水箱２にパイプラインを介して水箱２の内腔につながる水ポンプ３が配設され、冷蔵庫本体１の上方に上から下までに順次に排列した製氷機４及び角氷をガイドして冷蔵庫本体１の収納チャンバー１１内に滑るガイドブロックが装着され、製氷機４の入水口がパイプラインを介して水ポンプ３の出水口につながり、冷蔵庫本体１の収納チャンバー１１の底部に逆流孔が開設され、逆流孔がパイプラインを介して水箱２の内腔につながり、冷蔵庫が中央処理装置及び警告装置を更に備え、中央処理装置が製氷機４に電気的に接続され、警告装置が中央処理装置に電気的に接続される。【選択図】図３
0003180115.tif 000002
【実用新案登録請求の範囲】
【請求項１】
冷蔵庫本体（１）を備え、前記冷蔵庫本体（１）に収納チャンバー（１１）が開設される自動循環水で製氷可能な冷蔵庫において、
前記冷蔵庫本体（１）の下部に、製氷用の水を入れる水箱（２）が装着され、
前記水箱（２）に、パイプラインを介して前記水箱（２）の内腔につながる水ポンプ（３）が配設され、
前記冷蔵庫本体（１）の上方に、製氷機（４）と、前記製氷機（４）からの角氷をガイドして冷蔵庫本体（１）の収納チャンバー（１１）内に入れるガイドブロック（５）が装着され、
前記製氷機（４）の入水口が、パイプラインを介して水ポンプ（３）の出水口に連結され、
前記冷蔵庫本体（４）の収納チャンバー（１１）の底部に、逆流孔（１２）が開設され、
前記逆流孔（１２）が、前記パイプラインを介して前記水箱（２）の内腔に連結され、
前記冷蔵庫が、中央処理装置及び警告装置を更に備え、
前記中央処理装置が、前記製氷機（４）に電気的に接続され、
前記警告装置が、前記中央処理装置に電気的に接続される
ことを特徴とする自動循環水で製氷可能な冷蔵庫。
【請求項２】
前記中央処理装置は、信号処理モジュールと、スタンドバイ時間と作業時間を制御する時間制御モジュールを有し、
前記信号処理モジュールが、前記時間制御モジュールに電気的に接続され、
前記信号処理モジュールが、更に警告装置と、前記製氷機（４）と、前記水ポンプ（３）に電気的に接続される
ことを特徴とする請求項１に記載の自動循環水で製氷可能な冷蔵庫。
【請求項３】
前記警告装置が、指示灯であり、
前記冷蔵庫本体（１）が、前制御板（８）と後制御板（９）を備え、
前記前制御板（８）が、前記製氷機（４）の下方に設置され、
前記後制御板（９）が、前記冷蔵庫本体（１）の後部に設置され、
前記指示灯が、前記前制御板（８）と後制御板（９）に設置される
ことを特徴とする請求項２に記載の自動循環水で製氷可能な冷蔵庫。
【請求項４】
前記警告装置が、音声指示器であり、
前記冷蔵庫本体（１）が後制御板（９）を備え、
前記後制御板（９）が、前記冷蔵庫本体（１）の後部に設置され、
前記音声指示器が、前記後制御板（９）に設置される
ことを特徴とする請求項２に記載の自動循環水で製氷可能な冷蔵庫。
【請求項５】
前記冷蔵庫本体の収納チャンバー（１１）内に、角氷が積み重なった高さをモニターする検温器が装着され、
前記検温器が、前記信号処理モジュールに電気的に接続される
ことを特徴とする請求項２に記載の自動循環水で製氷可能な冷蔵庫。
【請求項６】
前記水箱（２）の内腔に、上限水位をモニターするための高水位センサーと、下限水位をモニターする低水位センサーが装着され、
前記高水位センサーと低水位センサーが、それぞれ前記信号処理モジュールに電気的に接続される
ことを特徴とする請求項２に記載の自動循環水で製氷可能な冷蔵庫。
【請求項７】
前記製氷機（４）内の水をモニターする水検出センサーが装着され、
前記水検出センサーが、前記信号処理モジュールに電気的に接続される
ことを特徴とする請求項２に記載の自動循環水で製氷可能な冷蔵庫。
【請求項８】
前記製氷機（４）に、製氷時間を制御する温度センサーが装着され、
前記温度センサーが、前記信号処理モジュールに電気的に接続される
ことを特徴とする請求項２に記載の自動循環水で製氷可能な冷蔵庫。
【請求項９】
前記製氷機（４）に、角氷の動きを制御する電子制御モータが装着され、
前記電子制御モータが、前記信号処理モジュールに電気的に接続される
ことを特徴とする請求項２に記載の自動循環水で製氷可能な冷蔵庫。
【請求項１０】
前記製氷機（４）と前記水ポンプ（３）との間に浄水器（６）が装着され、
前記浄水器（６）の入水口が、パイプラインを介して水ポンプの出水口に連結され、    
前記浄水器（６）の出水口が、パイプラインを介して前記製氷機（４）の入口に連結され、
前記浄水器（６）に、フィルターと紫外線ランプ（１０）が設置され、
前記フィルターが、前記浄水器（６）の内腔に設置され、
前記紫外線ランプ（１０）が、浄水器の近傍に装着される
ことを特徴とする請求項１に記載の自動循環水で製氷可能な冷蔵庫。
【考案の詳細な説明】
【技術分野】
【０００１】
本考案は、冷蔵設備技術分野に関し、特に自動循環水で製氷可能な冷蔵庫に関する。
【背景技術】
【０００２】
国民の生活レベルがだんだん上がるに従い、多機能でインテリジェントな冷蔵庫の需要が絶え間なく上昇する。現在、コンビニとレストラン等の小売業及びマーケットが瓶入りのカン入りの飲料（例えば、ビール、コーラ等）を売る為に、自動製氷可能な冷蔵庫を設計開発して上記飲料を冷蔵している。このような自動製氷可能な冷蔵庫は、氷粒を自動製造でき、これで冷蔵庫内の飲料を冷凍する。一般に、自動製氷可能な冷蔵庫は水箱を搭載し、製氷用の水の供給が水箱により行われている。しかし、現在の冷蔵庫の水箱は、水位高低を指示する機能がなく、水位が予定値より低い場合に、ユーザは冷蔵庫動作の故障を判断できず、ユーザ自身が定期的に水箱の水位を検出して、冷蔵庫の正常動作を維持している。現在の冷蔵庫において、このような指示機能が欠けている問題は、ユーザが冷蔵庫の動作故障を即時に発見できず、ユーザが故障を即時に修理できず、冷蔵庫の動作が不安定になり、ユーザに極めて大きな不便をもたらす。自動製氷の冷蔵庫の制御が、更にインテリジェントになるために、上記の問題は、差し迫まって解決すべき問題となっている。
【考案の概要】
【考案が解決しようとする課題】
【０００３】
本考案の目的は、上記した従来技術に鑑み、制御が更にインテリジェントになり（自動化され）、実用性が高い自動循環水で製氷可能な冷蔵庫を提供することである。
【課題を解決するための手段】
【０００４】
本考案は、下記の技術により実現される。
【０００５】
本考案の自動循環水で製氷可能な冷蔵庫は冷蔵庫本体を備える。
前記冷蔵庫本体に収納チャンバーが設けられ、冷蔵庫本体の下部に製氷用の水を入れる水箱が装着される。水箱にパイプラインを介して水箱の内腔につながる水ポンプが配設され、冷蔵庫本体の上方に製氷機と製氷機からの角氷をガイドして冷蔵庫本体の収納チャンバー内に入れるガイドブロックが装着される。  製氷機の入水口がパイプラインを介して水ポンプの出水口につながり、冷蔵庫本体の収納チャンバーの底部に逆流孔が配置される。逆流孔がパイプラインを介して水箱の内腔に連結される。
冷蔵庫は、中央処理装置及び警告装置を更に備え、中央処理装置が製氷機に電気的に接続され、警告装置が中央処理装置に電気的に接続される。
【０００６】
本発明の一実施例においては、前記中央処理装置は、信号処理モジュールと、スタンドバイ時間と作業時間を制御できる時間制御モジュールとを有する。  信号処理モジュールが時間制御モジュールに電気的に接続され、信号処理モジュールが、更に警告装置、製氷機及び水ポンプに電気的に接続される。電気的に接続されるとは、電力の供給のみならず、制御信号の送受信も行われることを意味する。
【０００７】
本発明の一実施例においては、前記警告装置が指示灯であり、冷蔵庫本体が前制御板及び後制御板を備え、前制御板が製氷機の下方に設置され、後制御板が冷蔵庫本体の後部に設置され、指示灯がそれぞれ前制御板と後制御板に設置される。
【０００８】
本発明の一実施例においては、前記警告装置が音声指示器であり、冷蔵庫本体が後制御板を備え、後制御板が冷蔵庫本体の後部に設置され、音声指示器が後制御板に設置される。
【０００９】
本発明の一実施例においては、前記冷蔵庫本体の収納チャンバー内に盛った角氷の高さをモニターするための検温器が装着される。検温器が前記信号処理モジュールに電気的に接続される。
【００１０】
本発明の一実施例においては、前記水箱の内腔に上限水位をモニターする高水位センサー及び下限水位をモニターする低水位センサーが装着される。高水位センサーと低水位センサーがそれぞれ前記信号処理モジュールに電気的に接続される。
【００１１】
本発明の一実施例においては、前記製氷機内に水があるか否かをモニターする水検出センサーが装着される。  水検出センサーが前記信号処理モジュールに電気的に接続される。
【００１２】
本発明の一実施例においては、前記製氷機に製氷時間を制御するための温度センサーが装着される。温度センサーが信号処理モジュールに電気的に接続される。
【００１３】
本発明の一実施例においては、前記製氷機に角氷の動きを制御する電子制御モータが装着される。  電子制御モータが信号処理モジュールに電気的に接続される。
【００１４】
本発明の一実施例においては、前記製氷機と前記水ポンプとの間に浄水器が装着され、浄水器の入水口がパイプラインを介して水ポンプの出水口につながり、浄水器の出水口がパイプラインを介して製氷機の入水口につながる。浄水器にフィルター及び紫外線ランプが設置され、フィルターが浄水器の内腔に設置され、紫外線ランプが浄水器のそばに装着される。
【考案の効果】
【００１５】
本考案の冷蔵庫の効果は、本考案の冷蔵庫が作動する場合、水ポンプが水箱中の水を製氷機にポンピングし、製氷機がその内部に入る水を角氷に凍らし、角氷がガイドブロックに沿って冷蔵庫本体の収納チャンバー内に入り、自動製氷動作を実現する。冷蔵プロセスにおいて、角氷の溶解により水が逆流孔を介して水箱中に逆流でき、水の循環利用を実現し、本考案の冷蔵庫が自動循環製氷の効果を有するようになる。本考案の冷蔵庫は、中央処理装置と警告装置を有する。中央処理装置が冷蔵庫の中央制御システムとして、製氷機の自動製氷動作を的確に制御する。また、冷蔵庫動作プロセスにおいて故障が発生した場合、中央処理装置が、警告装置を介してユーザに警告信号を発信し、ユーザが警告信号を受信した後、故障を即時に直し、冷蔵庫の正常安定運転を確保する。本考案の冷蔵庫が自動循環製氷の効果を有し、且つその制御が更にインテリジェントになり、便利となり、コンビニ及びレストラン等の小売業の小売り、更に宣伝の用途に用いることができ、実用性が高い。
【図面の簡単な説明】
【００１６】
【図１】本考案の冷蔵庫の斜め上から見た斜視図。
【図２】本考案の冷蔵庫の斜め下から見た斜視図。
【図３】本考案の冷蔵庫の分解斜視図。
【考案を実施するための形態】
【００１７】
以下、図面を参照しながら、本考案を詳しく説明する。
【００１８】
（実施例１）
図１〜図３に示すように、本考案の冷蔵庫の一実施例の自動循環水で製氷可能な冷蔵庫は、冷蔵庫本体１を備える。  前記冷蔵庫本体１に収納チャンバー１１が開設（配置）される。冷蔵庫本体１の下部に製氷用の水をいれる水箱２が装着される。水箱２にパイプラインを介して水箱２の内腔につながる水ポンプ３が配設される。冷蔵庫本体１の上方に上から順に製氷機４と、角氷をガイドして冷蔵庫本体１の収納チャンバー１１内に入れるガイドブロック５が装着される。製氷機４の入水口がパイプラインを介して水ポンプ３の出水口につながる。冷蔵庫本体１の収納チャンバー１１の底部に逆流孔１２が開設（配置）される。逆流孔１２がパイプラインを介して水箱２の内腔につながる。冷蔵庫が中央処理装置及び警告装置を更に備える。
中央処理装置が製氷機４に電気的に接続される。警告装置が中央処理装置に電気的に接続される。
【００１９】
本考案の冷蔵庫が動作する場合に、水ポンプ３が、水箱２にある水を製氷機４にポンピングし、製氷機４がその内部に入る水を角氷に製氷し、角氷がガイドブロック５に沿って冷蔵庫本体１の収納チャンバー１１内に入り、自動製氷動作を実現する。
冷蔵プロセスにおいて、角氷の溶解による水が逆流孔１２を介して水箱２中に逆流でき、そして水の循環利用を実現し、本考案の冷蔵庫が自動循環製氷の作動ができるようになる。
本考案の冷蔵庫は、更に中央処理装置と警告装置を有する。中央処理装置が冷蔵庫の中央制御システムとして、製氷機４の自動製氷動作を的確に制御できる。冷蔵庫動作プロセスにおいて故障が発生した場合、中央処理装置が警告装置を介してユーザに警告信号を送信する。ユーザが警告信号を受信した後、故障を即時に直し冷蔵庫の正常安定運転を確保する。
以上述べたように、本考案の冷蔵庫が自動循環製氷の効果を有し、且つその制御が更にインテリジェントになり、使用に便利であり、コンビニ及びレストラン等の小売業の小売り更に宣伝の用途に用いることができ、実用性が高い。
【００２０】
本実施例の自動循環水で製氷可能な冷蔵庫は、その背面が壁に寄りかかって取り付けられてもよく、缶詰の飲料が冷蔵庫本体１の収納チャンバー１１内に置かれる。製氷機４、ガイドブロック５、冷蔵庫本体１及び水箱２が、上から下に順に配置される。製氷機４が製造した角氷は、顆粒状の角氷である。ガイドブロック５は高強度プラスチックにより製造される。上記部品を固定するために、本実施例が支持フレーム７を更に備え、前記製氷機４が支持フレーム７の上端部に固定される。ガイドブロック５及び冷蔵庫本体１が、支持フレーム７の中部に固定される。水箱２が支持フレーム７の下端部に固定される。また、広告効果を増すために、瓶又はカン飲料を売る販売者は、この自動循環水で製氷可能な冷蔵庫の正面に相応の広告宣伝板を張ることができる。
【００２１】
本発明の一実施例においては、前記中央処理装置が、信号処理モジュール及びスタンドバイ時間と作業時間を制御できる時間制御モジュールを有する。  信号処理モジュールが時間制御モジュールに電気的に接続される。信号処理モジュールが、更に警告装置と、製氷機４及び水ポンプ３に電気的に接続される。中央処理装置が、冷蔵庫の中央制御システムとして、製氷機４の自動製氷動作を的確に制御でき、時間制御モジュールが主に製氷機４と水ポンプ３のスタンドバイ時間及び作業時間を設定することに用いられ、即ち製氷機４と水ポンプ３が設定したスタンドバイ時間及び作業時間に応じて循環的に作業できる。
【００２２】
本発明の一実施例においては、前記冷蔵庫本体１の収納チャンバー１１内にある角氷の高さをモニターするための検温器が装着される。検温器が前記信号処理モジュールに電気的に接続される。検温器が冷蔵庫本体１の収納チャンバー１１内に取り付けられ、且つ収納チャンバー１１の底部から特定の高度が設定される。収納チャンバー１１内の角氷の高さが検温器の取り付け高度より低い場合に、検温器が信号を信号処理モジュールにフィードバックし、信号処理モジュールが水ポンプ３及び製氷機４を駆動して、冷蔵庫本体１の収納チャンバー１１内に角氷を添加する。
【００２３】
本発明の一実施例においては本実施例では、前記水箱２の内腔に上限水位をモニターするための高水位センサー及び下限水位をモニターするための低水位センサーが装着される。高水位センサーと低水位センサーが、それぞれ前記信号処理モジュールに電気的に接続される。高水位センサー及び低水位センサーが主に水箱２の装水情況をモニターすることに用いられる。  
水箱２の内腔の水位が高水位センサーの取り付け高度より高い場合に、高水位センサーが信号を信号処理モジュールにフィードバックし、そして信号処理モジュールがそれに電気的に接続される警告装置を駆動してユーザに水箱２における一部の水を放出するよう指示する。
水箱２の内腔の水位が低水位センサーの取り付け高度より低い場合に、低水位センサーが信号を信号処理モジュールにフィードバックし、そして信号処理モジュールがそれに電気的に接続される警告装置を駆動してユーザに水箱２内へ水を更に入れるよう指示する。
【００２４】
本発明の一実施例においては、前記製氷機４内に水があるか否かをモニターするための水検出センサーが装着される。水検出センサーが、前記信号処理モジュールに電気的に接続される。水検出センサーが、水が製氷機４内にあるか否かをモニターすることに用いられ、水が製氷機４内に適当な水位に達した場合に、水検出センサーが信号を信号処理モジュールにフィードバックし、信号処理モジュールが製氷機４を駆動して動作させる。
【００２５】
本発明の一実施例においては、前記製氷機４に角氷の動きを制御するための電子制御モータが装着される。電子制御モータが、信号処理モジュールに電気的に接続される。製氷機４内の水が特定の温度下で角氷を形成する場合に、信号処理モジュールが電子制御モータを駆動し、角氷の動きを制御し、局部の氷結体積が大きすぎることを防止し、角氷を均一に製氷する。
【００２６】
本発明の一実施例においては、前記警告装置が指示灯である。冷蔵庫本体１が前制御板８と後制御板９を備える。前制御板８が製氷機４の下方に設置される。後制御板９が冷蔵庫本体１の後部に設置される。指示灯がそれぞれ前制御板８と後制御板９に設置される。指示灯の指示事項は冷蔵庫のｏｎ／ｏｆｆ、中央処理装置が操作するか、水箱２の水高アラームと水低アラーム、収納チャンバー１１内の角氷の整体高度が検温器の取り付け高度より低い場合のアラーム等を含み、更に水検出センサーをモニターして水が製氷機４に入るかを指示し、水が適当な水位に達するか、また電気モータをモニターして製氷機４内で、適当な温度の場合に形成した角氷が氷を動かすかを制御することに用いられ、中央処理装置が受信した信号が予め設定又はユーザの設定の要求に満たす場合に、信号処理モジュールが指示灯を駆動して点灯又は点滅させ、指示が既に予め設定した要求に達して、制御が更にインテリジェントになり、使用が便利である。
【００２７】
（実施例２）
本実施例と実施例１との異なる点は、本実施例の警告装置が音声指示器であり、冷蔵庫本体１が後制御板９を備え、後制御板９が冷蔵庫本体１の後部に設置される。音声指示器が後制御板９に設置される。
【００２８】
中央処理装置が受信した信号が予め設定又はユーザの設定の要求に満たす場合に、音声指示器が低音量の２種類の異なる音声でそれぞれ異なる情況の指示又はアラームを表し、これで既に予め設定要求に達したことを指示する。
【００２９】
本実施例では、前記製氷機４に製氷時間を制御するための温度センサーが装着される。温度センサーが信号処理モジュールに電気的に接続される。温度センサーが製氷機４内の温度をリアルタイムに感応でき、この温度が予め設定又はユーザ設定の温度より低い場合に、信号処理モジュールが製氷機４を駆動して製氷を停止させ、製氷時間を効果的に制御できる。
【００３０】
本実施例では、前記冷蔵庫本体１の収納チャンバー１１の底部には収納チャンバー１１に沿って延伸する導水溝を成型し、前記逆流孔１２が導水溝内に開設される。導水溝が冷蔵プロセスにおいて角氷の溶解による水を水箱２中に逆流させ、角氷の溶解速度に影響を与えることを避ける。
【００３１】
本実施例の他の構造が実施例１に同一であるため、詳細な記載は割愛する。
【００３２】
（実施例３）
本実施例が実施例２との異なる点は、本実施例では、前記製氷機４と前記水ポンプ３との間に浄水器６が装着される点である。浄水器６の入水口がパイプラインを介して水ポンプ３の出水口につながり、浄水器６の出水口がパイプラインを介して製氷機４の入水口につながり、浄水器６にフィルター及び紫外線ランプ１０が設置される。
【００３３】
フィルターが浄水器６の内腔に設置される。紫外線ランプ１０が浄水器６のそばに装着される。図に示すように、浄水器６が支持フレーム７の下端部に固定される。ここで、フィルターが主に製氷機４に入る水における顆粒不純物を除去することに用いられ、紫外線ランプ１０が主に製氷機４に入る水における細菌を殺菌する。
【００３４】
本実施例では、前記ガイドブロック５が少なくとも２つの斜溝を成型し、斜溝の入料口が前記製氷機４の出氷口に直面する。斜溝が顆粒状の角氷が均一に冷蔵庫本体１の収納チャンバー１１内に入るようにさせ、角氷が収納チャンバー１１内局部積み上げを避け、氷凍効果が更によい。
【００３５】
本実施例の他の構造は、実施例２に同一であるため、詳細な記載は割愛する。
上記実施形態は、本考案の冷蔵庫の好適な実施形態であり、本考案の冷蔵庫の実施範囲を制限するものではなく、本考案の実用新案登録請求の範囲に記載された構造、特徴及び原理に基づいて作成した他の変形例は、本考案の実用新案登録請求の範囲に含まれる。
【符号の説明】
【００３６】
１−冷蔵庫本体、１１−収納チャンバー、１２−逆流孔、２−水箱、３−水ポンプ、４−製氷機、５−ガイドブロック、６−浄水器、７−支持フレーム、８−前制御板、９−後制御板、１０−紫外線ランプ。
【図１】
0003180115.tif 000003
【図２】
0003180115.tif 000004
【図３】
0003180115.tif 000005